(57)【要約】【課題】送信者側や受信者側の所望する広告情報を画像データに付加することが可能な画像データ形成システムを提供する。【解決手段】  本開示の一態様にかかる画像データ形成システムは、画像データを送信する送信側の所望する広告情報の条件と、画像データを受信する受信側の所望する広告情報の条件と、を比較する比較手段と、広告情報を広告サーバから取得する取得手段と、送信側の条件と受信側の条件との双方の条件を満足する広告情報の条件に該当する広告情報を画像データに付加した画像データを形成する形成手段と、を有することを特徴とする。【選択図】図１
2014086005.tif 000002
【特許請求の範囲】
【請求項１】
画像データを送信する送信側の所望する広告情報の条件と、前記画像データを受信する受信側の所望する広告情報の条件と、を比較する比較手段と、
広告情報を広告サーバから取得する取得手段と、
前記送信側の条件と前記受信側の条件との双方の条件を満足する広告情報の条件に該当する広告情報を前記画像データに付加した前記画像データを形成する形成手段と、
を有することを特徴とする画像データ形成システム。
【請求項２】
前記画像データ形成システムは、
前記画像データを送信する送信側情報機器と、前記画像データを受信する受信側情報機器と、前記広告サーバと、を有して構成し、
前記受信側情報機器は、前記比較手段と、前記取得手段と、前記形成手段と、を有し、
前記比較手段は、
前記送信側の条件と、前記受信側の条件と、を比較し、前記送信側の条件と前記受信側の条件との双方の条件を満足する広告情報の条件がある場合に、双方の条件を満足する広告情報の条件を記憶手段に記憶し、
前記取得手段は、
前記記憶手段に記憶された前記条件に該当する前記広告情報を前記広告サーバから取得し、
前記形成手段は、前記広告サーバから取得した前記広告情報を前記画像データに付加した前記画像データを形成する、ことを特徴とする請求項１記載の画像データ形成システム。
【請求項３】
前記画像データ形成システムは、
前記画像データを送信する送信側情報機器と、前記画像データを受信する受信側情報機器と、前記広告サーバと、を有して構成し、
前記受信側情報機器は、前記比較手段を有し、
前記送信側情報機器は、前記取得手段と、前記形成手段と、を有し、
前記比較手段は、
前記送信側の条件と、前記受信側の条件と、を比較し、前記送信側の条件と前記受信側の条件との双方の条件を満足する広告情報の条件があるか否かを判定し、判定結果を前記送信側情報機器に送信し、
前記取得手段は、
前記送信側の条件に該当する前記広告情報を前記広告サーバから取得し、該取得した前記広告情報を記憶手段に記憶し、
前記形成手段は、
前記判定結果を基に、双方の条件を満足する広告情報の条件がある場合に、双方の条件を満足する広告情報の条件に該当する広告情報を前記記憶手段から取得し、該取得した前記広告情報を前記画像データに付加した前記画像データを形成し、前記広告情報を付加した前記画像データを前記受信側情報機器に送信する、ことを特徴とする請求項１記載の画像データ形成システム。
【請求項４】
前記画像データ形成システムは、
前記画像データを送信する送信側情報機器と、前記画像データを受信する受信側情報機器と、前記広告サーバと、を有して構成し、
前記送信側情報機器は、前記比較手段と、前記取得手段と、前記形成手段と、を有し、
前記取得手段は、
前記送信側の条件に該当する前記広告情報を前記広告サーバから取得し、該取得した前記広告情報を記憶手段に記憶し、
前記比較手段は、
前記送信側の条件と、前記受信側の条件と、を比較し、前記送信側の条件と前記受信側の条件との双方の条件を満足する広告情報の条件があるか否かを判定し、
前記形成手段は、
前記比較手段の判定結果を基に、双方の条件を満足する広告情報の条件がある場合に、双方の条件を満足する広告情報の条件に該当する広告情報を前記記憶手段から取得し、該取得した前記広告情報を前記画像データに付加した前記画像データを形成し、前記広告情報を付加した前記画像データを前記受信側情報機器に送信する、ことを特徴とする請求項１記載の画像データ形成システム。
【請求項５】
前記広告サーバは、前記広告情報を、前記広告情報の最終掲載日時、前記広告情報の掲載回数、前記広告情報の優先度の少なくとも１つの情報と関連付けて記憶しており、
前記取得手段は、前記条件に該当する前記広告情報が所定の件数分より多い場合は、前記最終掲載日時が古い順番、前記掲載回数が少ない順番、前記優先度が高い順番、の少なくとも１つの順番に基づいて、前記条件に該当する前記広告情報を所定の件数分、取得する、ことを特徴とする請求項２から請求項４の何れか１項に記載の画像データ形成システム。
【請求項６】
画像データを受信する受信側情報機器であって、
前記画像データを送信する送信側の所望する広告情報の条件と、前記画像データを受信する受信側の所望する広告情報の条件と、を比較し、前記送信側の条件と前記受信側の条件との双方の条件を満足する広告情報の条件がある場合に、双方の条件を満足する広告情報の条件を記憶手段に記憶する比較手段と、
前記記憶手段に記憶された前記条件に該当する前記広告情報を広告サーバから取得する取得手段と、
前記広告サーバから取得した前記広告情報を前記画像データに付加した前記画像データを形成する形成手段と、を有することを特徴とする受信側情報機器。
【請求項７】
画像データを送信する送信側情報機器であって、
前記画像データを送信する送信側の所望する広告情報の条件に該当する広告情報を広告サーバから取得し、該取得した広告情報を記憶手段に記憶する取得手段と、
前記送信側の所望する広告情報の条件と、前記画像データを受信する受信側の所望する広告情報の条件と、の双方の条件を満足する広告情報の条件がある場合に、双方の条件を満足する広告情報の条件に該当する広告情報を前記記憶手段から取得し、該取得した前記広告情報を前記画像データに付加した前記画像データを形成し、前記広告情報を付加した前記画像データを受信側に送信する形成手段と、を有することを特徴とする送信側情報機器。
【請求項８】
画像データを受信する受信側情報機器のコンピュータに実行させるプログラムであって、
前記画像データを送信する送信側の所望する広告情報の条件と、前記画像データを受信する受信側の所望する広告情報の条件と、を比較し、前記送信側の条件と前記受信側の条件との双方の条件を満足する広告情報の条件がある場合に、双方の条件を満足する広告情報の条件を記憶手段に記憶する比較処理と、
前記記憶手段に記憶された前記条件に該当する前記広告情報を広告サーバから取得する取得処理と、
前記広告サーバから取得した前記広告情報を前記画像データに付加した前記画像データを形成する形成処理と、を、前記コンピュータに実行させることを特徴とするプログラム。
【請求項９】
画像データを送信する送信側情報機器のコンピュータに実行させるプログラムであって、
前記画像データを送信する送信側の所望する広告情報の条件に該当する広告情報を広告サーバから取得し、該取得した広告情報を記憶手段に記憶する取得処理と、
前記送信側の所望する広告情報の条件と、前記画像データを受信する受信側の所望する広告情報の条件と、の双方の条件を満足する広告情報の条件がある場合に、双方の条件を満足する広告情報の条件に該当する広告情報を前記記憶手段から取得し、該取得した前記広告情報を前記画像データに付加した前記画像データを形成し、前記広告情報を付加した前記画像データを受信側に送信する形成処理と、を、前記コンピュータに実行させることを特徴とするプログラム。
【発明の詳細な説明】
【技術分野】
【０００１】
本開示は、広告情報を付加した画像データを形成する技術に関する。
【背景技術】
【０００２】
従来、送信側の情報機器からネットワークを介して受信側の情報機器に画像データを送信する際に、画像データに広告情報を付加する技術がある。
【０００３】
例えば、ネットワーク上にサーバを配置し、送信側の情報機器から送信された画像データをサーバで一旦受信する。サーバは、送信側の情報機器から受信した画像データに広告情報を付加し、その広告情報を付加した画像データを受信側の情報機器に送信する。これにより、受信側の情報機器は、広告情報が付加された画像データを出力することになる。
【０００４】
しかし、上述した技術では、一般的に、広告掲載者が掲載したい広告情報を画像データに付加することを前提としているため、送信側の情報機器の利用者（以下、送信者と記載する）や、受信側の情報機器の利用者（以下、受信者と記載する）にとって興味のない広告情報が画像データに付加されてしまう場合がある。このため、送信者側や受信者側からみると不要な広告情報が画像データに付加されてしまうおそれがある。
【０００５】
なお、特許文献１（特許第3992446号公報）には、受信者に悪印象を与えることなく、効果的な広告を行うことが可能な技術について開示されている。
【０００６】
特許文献１では、通信データ送信装置が、送信側情報機器から通信データを受け取り、広告データを付加した合成データを生成する。次に、その生成した合成データを受信側情報機器に送信すると共に、その受信側情報機器毎に送信量を累計する。送信量の累計値は、広告データを付加した合成データを送信することにより、受信側が強いられた負担を表している。このため、受信側情報機器毎に送信量を累計することで、通信データに広告データを付加することによる受信側の負担を把握することができる。この受信側の負担を把握することができれば、その負担に応じて何らかの特典を用意するなどの措置をとることができるため、受信者に悪印象を与えることなく、効果的な広告を行うことを可能にしている。
【発明の概要】
【発明が解決しようとする課題】
【０００７】
しかし、特許文献１の技術であっても、送信者側や受信者側にとって興味のない広告データが画像データに付加されてしまう場合があるため、送信者側や受信者側からみると不要な広告データが画像データに付加されてしまうことになる。このため、送信者側や受信者側の所望する広告情報を画像データに付加することが可能なシステムの開発が必要視される。
【０００８】
本開示の目的は、送信者側や受信者側の所望する広告情報を画像データに付加することが可能な画像データ形成システムを提供することにある。
【課題を解決するための手段】
【０００９】
本開示の一態様にかかる画像データ形成システムは、
画像データを送信する送信側の所望する広告情報の条件と、前記画像データを受信する受信側の所望する広告情報の条件と、を比較する比較手段と、
広告情報を広告サーバから取得する取得手段と、
前記送信側の条件と前記受信側の条件との双方の条件を満足する広告情報の条件に該当する広告情報を前記画像データに付加した前記画像データを形成する形成手段と、
を有することを特徴とする。
【発明の効果】
【００１０】
本開示の一態様によれば、送信者側や受信者側の所望する広告情報を画像データに付加することができる。
【図面の簡単な説明】
【００１１】
【図１】本実施形態の画像データ形成システムのシステム構成例を示す図である。
【図２】広告サーバ100の構成例を示す図である。
【図３】広告情報データベース103のデータ構成例を示す図である。
【図４】広告画像データベース104のデータ構成例を示す図である。
【図５】送信側情報機器200、受信側情報機器300の構成例を示す図である。
【図６】本実施形態の画像データ形成システムの処理動作例を示す第１の図である。
【図７】本実施形態の画像データ形成システムの処理動作例を示す第２の図である。
【図８】本実施形態の画像データ形成システムの処理動作例を示す第３の図である。
【図９】第２実施形態の画像データ形成システムの処理動作例を示す図である。
【発明を実施するための形態】
【００１２】
（本開示の一態様にかかる画像データ形成システムの実施形態の概要）
まず、図１、図５、図６、図７、図８を参照しながら、本開示の一態様にかかる画像データ形成システムの実施形態の概要について説明する。図１は、本開示の一態様にかかる画像データ形成システムのシステム構成例を示す図である。図５は、本開示の一態様にかかる画像データ形成システムを構成する送信側情報機器200、受信側情報機器300の構成例を示す。図６〜図８は、本開示の一態様にかかる画像データ形成システムの処理動作例を示す図である。
【００１３】
本開示の一態様にかかる画像データ形成システムは、図１に示すように、画像データを送信する送信側情報機器200と、画像データを受信する受信側情報機器300と、広告サーバ100と、を有して構成する。
【００１４】
本開示の一態様にかかる画像データ形成システムとしては、受信側情報機器300は、比較手段と、取得手段と、形成手段と、を有し、図６に示す処理を行う。比較手段は、画像データを送信する送信側の所望する広告情報の条件と、画像データを受信する受信側の所望する広告情報の条件と、を比較する。そして、送信側の条件と受信側の条件との双方の条件を満足する広告情報の条件がある場合に、双方の条件を満足する広告情報の条件を記憶手段に記憶する比較処理を行う（ステップA4、A6）。取得手段は、記憶手段に記憶された条件に該当する広告情報を広告サーバ100から取得する取得処理を行う（ステップA10〜A12）。形成手段は、広告サーバ100から取得した広告情報を画像データに付加した画像データを形成する形成処理を行う（ステップA13）。この場合は、図５に示す主記憶部302が記憶手段として機能する。また、制御部301が比較手段として機能する。また、制御部301、通信制御部304が取得手段として機能する。また、制御部301、画像処理部303、出力部306が形成手段として機能する。これにより、本開示の一態様にかかる画像データ形成システムは、送信者側や受信者側の所望する広告情報を画像データに付加することができる。
【００１５】
また、本開示の一態様にかかる画像データ形成システムとしては、受信側情報機器300は、比較手段を有し、送信側情報機器200は、取得手段と、形成手段と、を有し、図７に示す処理を行う。受信側情報機器300の比較手段は、画像データを送信する送信側の所望する広告情報の条件と、画像データを受信する受信側の所望する広告情報の条件と、を比較する。そして、送信側の条件と受信側の条件との双方の条件を満足する広告情報の条件があるか否かを判定し、判定結果を送信側情報機器200に送信する比較処理を行う（ステップB8、B9）。また、送信側情報機器200の取得手段は、送信側の条件に該当する広告情報を広告サーバ100から取得し、該取得した広告情報を記憶手段に記憶する取得処理を行う（ステップB1〜B4）。また、形成手段は、判定結果を基に、双方の条件を満足する広告情報の条件がある場合に、双方の条件を満足する広告情報の条件に該当する広告情報を記憶手段から取得し、該取得した広告情報を画像データに付加した画像データを形成する。そして、広告情報を付加した画像データを受信側情報機器300に送信する形成処理を行う（ステップB10、B11）。この場合は、図５に示す制御部301、通信制御部304が比較手段として機能する。また、図５に示す制御部201、通信制御部204が取得手段として機能する。また、主記憶部202が記憶手段として機能する。また、制御部201、画像処理部203、通信制御部204が形成手段として機能する。これにより、本開示の一態様にかかる画像データ形成システムは、送信者側や受信者側の所望する広告情報を画像データに付加することができる。
【００１６】
また、本開示の一態様にかかる画像データ形成システムとしては、送信側情報機器200は、取得手段と、比較手段と、形成手段と、を有し、図８に示す処理を行う。取得手段は、送信側の条件に該当する広告情報を広告サーバ100から取得し、該取得した広告情報を記憶手段に記憶する取得処理を行う（ステップC1〜C4）。比較手段は、送信側の条件と、受信側の条件と、を比較し、送信側の条件と受信側の条件との双方の条件を満足する広告情報の条件があるか否かを判定する比較処理を行う（ステップC7）。形成手段は、比較手段の判定結果を基に、双方の条件を満足する広告情報の条件がある場合に、双方の条件を満足する広告情報の条件に該当する広告情報を記憶手段から取得し、該取得した広告情報を画像データに付加した画像データを形成する。そして、広告情報を付加した画像データを受信側情報機器300に送信する形成処理を行う（ステップC8、C9）。この場合は、図５に示す制御部201、通信制御部204が取得手段として機能する。また、主記憶部202が記憶手段として機能する。また、制御部201が比較手段として機能する。また、制御部201、画像処理部203、通信制御部204が形成手段として機能する。これにより、本開示の一態様にかかる画像データ形成システムは、送信者側や受信者側の所望する広告情報を画像データに付加することができる。
【００１７】
本開示の一態様にかかる画像データ形成システムは、比較手段と、取得手段と、形成手段と、を有して構成する。比較手段は、画像データを送信する送信側の所望する広告情報の条件と、画像データを受信する受信側の所望する広告情報の条件と、を比較する比較処理を行う。取得手段は、広告情報を広告サーバから取得する取得処理を行う。形成手段は、送信側の条件と受信側の条件との双方の条件を満足する広告情報の条件に該当する広告情報を画像データに付加した画像データを形成する形成処理を行う。これにより、送信者側や受信者側の所望する広告情報を画像データに付加することができる。その結果、受信者は、送信者側や受信者側の所望する広告情報を閲覧することができるため、不要な広告情報が画像データに付加されてしまうことを回避することができる。また、送信者側や受信者側に悪影響を与えることなく、広告情報の宣伝効率を向上させることができる。以下、添付図面を参照しながら、本開示の一態様にかかる画像データ形成システムの実施形態について詳細に説明する。
【００１８】
（第１の実施形態）
＜画像データ形成システムのシステム構成例＞
まず、図１を参照しながら、本実施形態の画像データ形成システムのシステム構成例について説明する。図１は、本実施形態の画像データ形成システムのシステム構成例を示す図である。
【００１９】
本実施形態の画像データ形成システムは、広告サーバ100と、送信側情報機器200と、受信側情報機器300と、広告登録端末400と、がネットワークNWを介して接続して構成する。ネットワークNWは、有線、無線を問わず、各装置間で情報通信が可能であれば、任意の通信形態が適用可能である。
【００２０】
広告サーバ100は、画像データに付加する広告情報を管理する。広告サーバ100は、画像データに付加する広告情報を管理することが可能であれば、あらゆる機器が適用可能である。
【００２１】
送信側情報機器200は、画像データを受信側情報機器300に送信する。受信側情報機器300は、送信側情報機器200から送信された画像データを受信する。送信側情報機器200、受信側情報機器300は、画像データの送受信を行うことが可能な機器であれば、あらゆる機器が適用可能である。
【００２２】
広告登録端末400は、画像データに付加する広告情報を広告サーバ100に登録する。広告登録端末400は、広告情報を広告サーバ100に登録することが可能であれば、あらゆる機器が適用可能である。
【００２３】
＜広告サーバ100の構成例＞
次に、図２を参照しながら、本実施形態の広告サーバ100の構成例について説明する。図２は、広告サーバ100の構成例を示す図である。
【００２４】
本実施形態の広告サーバ100は、制御部101、主記憶部102、広告情報データベース103、広告画像データベース104、通信制御部105、操作部106、表示部107を有して構成する。
【００２５】
制御部101は、広告サーバ100を統括的に制御する。制御部101は、CPU（Central Processing Unit）などで構成する。主記憶部102は、プログラムを格納したり、ワークメモリなどとして使用する。主記憶部102は、ROM（Read Only Memory）、RAM（Random Access Memory）などで構成する。
【００２６】
広告情報データベース103は、図３に示す広告情報を記憶する。広告情報データベース103は、HDD（Hard Disk Drive）などで構成する。図３は、広告情報データベース103に記憶される広告情報を示す。図３に示す広告情報は、広告登録端末400などから広告情報データベース103に登録する。
【００２７】
図３に示す広告情報は、広告情報ID、広告主名、最終掲載日時、掲載分野、種別、掲載地域、広告画像ID、掲載回数などを含んで構成している。
【００２８】
広告情報IDは、広告情報を一意に特定するための識別情報である。
広告主名は、広告情報の広告主名である。
最終掲載日時は、広告情報を最後に掲載した日時である。
掲載分野は、広告情報の分野を特定するものである。
種別は、広告情報の種別を特定するものであり、分野を更に詳細に区分したものである。
掲載地域は、広告情報を掲載する地域を特定するものである。
広告画像IDは、画像データに付加する広告画像を特定するための情報である。広告画像は、広告画像データベース104に図４に示すように記憶されており、広告画像IDに対応する広告画像を広告画像データベース104から取得することになる。
掲載回数は、広告情報を掲載した累計である。
【００２９】
広告画像データベース104は、図４に示す広告画像を記憶する。広告画像データベース104は、HDDなどで構成する。図４は、広告画像データベース104に記憶される広告画像を示す。図４に示す広告画像は、広告登録端末400などから広告画像データベース104に登録する。本実施形態のように、広告画像を広告情報データベース103とは別の広告画像データベース104に登録することで、広告画像データベース104に登録した複数の広告画像の中から所望の広告画像を取捨選択して広告情報を構成することができる。なお、広告情報データベース103に登録される広告情報の広告画像IDと、広告画像データベース104に登録される広告画像と、は紐付けられている。このため、広告画像は、広告画像IDと紐付けられて広告画像データベース104に記憶されることになる。
【００３０】
通信制御部105は、送信側情報機器200、受信側情報機器300、広告登録端末400と通信を行う。操作部106は、各種情報を入力する。例えば、図３に示す広告情報や図４に示す広告画像を入力する。操作部106は、キーボード、タッチパネルなどで構成する。表示部107は、各種情報を表示する。表示部107は、ディスプレイなどで構成する。
【００３１】
＜送信側情報機器200、受信側情報機器300の構成例＞
次に、図５を参照しながら、本実施形態の送信側情報機器200、受信側情報機器300の構成例について説明する。図５は、送信側情報機器200、受信側情報機器300の構成例を示す図である。なお、送信側情報機器200、受信側情報機器300は同様の構成であるため、送信側情報機器200を例に説明する。
【００３２】
本実施形態の送信側情報機器200は、制御部201、主記憶部202、画像処理部203、通信制御部204、読取部205、出力部206を有して構成する。
【００３３】
制御部201は、送信側情報機器200を統括的に制御する。制御部201は、CPUなどで構成する。主記憶部202は、プログラムを格納したり、ワークメモリなどとして使用する。主記憶部202は、ROM、RAMなどで構成する。
【００３４】
画像処理部203は、主記憶部202に記憶されている画像データや、読取部205で原稿を読み取って得られた画像データを加工する処理を行う。通信制御部204は、広告サーバ100や受信側情報機器300と通信を行う。読取部205は、原稿を読み取り、原稿の画像データを得る。出力部206は、画像データを出力する。出力する例としては、表示部（図示せず）に画像データを出力したり、媒体に画像データを印刷したりする。
【００３５】
＜画像データ形成システムの処理動作例＞
次に、図６を参照しながら、画像データ形成システムの一連の処理動作例について説明する。なお、以下の処理は、送信側情報機器200から受信側情報機器300に対してファクシミリデータを送信する場合を例に説明する。
【００３６】
送信側情報機器200から受信側情報機器300にファクシミリデータを送信する場合は、まず、送信側情報機器200において、原稿を読み取り、原稿の画像データを主記憶部202に記憶する（ステップA0）。
【００３７】
次に、送信側情報機器200は、受信側情報機器300に発呼する（ステップA1）。受信側情報機器300は、送信側情報機器200からの発呼に応答する場合は、送信側情報機器200に着呼する（ステップA2）。
【００３８】
送信側情報機器200は、受信側情報機器300が着呼した場合に、送信側情報機器200の所望する広告情報の条件を受信側情報機器300に通知する（ステップA3）。送信側情報機器200の所望する広告情報の条件は、送信側情報機器200を使用する送信者が送信側情報機器200に予め設定して主記憶部202に記憶しておく。広告情報の条件としては、広告情報の掲載分野や種別などが挙げられる。
【００３９】
受信側情報機器300は、送信側情報機器200の所望する広告情報の条件と、受信側情報機器300の所望する広告情報の条件と、を比較し、双方の条件を満足する広告情報の条件があるか否かを判定する（ステップA4）。受信側情報機器300の所望する広告情報の条件は、受信側情報機器300を使用する受信者が受信側情報機器300に予め設定して主記憶部302に記憶しておく。広告情報の条件としては、広告情報の掲載分野や種別などが挙げられる。
【００４０】
例えば、送信側情報機器200の所望する広告情報の条件として、広告情報の掲載分野の「旅行,地域」、「家電」が設定されているとする。また、受信側情報機器300の所望する広告情報の条件として、広告情報の掲載分野の「旅行,地域」が設定されているとする。この場合は、双方の条件を満足する広告情報の条件としては、広告情報の掲載分野の「旅行,地域」になる。
【００４１】
受信側情報機器300は、判定結果を送信側情報機器200に通知する（ステップA5）。例えば、双方の条件を満足する広告情報の条件がない場合は、その旨を送信側情報機器200に通知する。また、双方の条件を満足する広告情報の条件がある場合は、その旨を送信側情報機器200に通知する。また、双方の条件を満足する広告情報の条件がある場合は、その広告情報の条件を主記憶部302に記憶する（ステップA6）。上記の例であれば、広告情報の掲載分野の「旅行,地域」が主記憶部302に記憶される。
【００４２】
送信側情報機器200は、判定結果を受信し、双方の条件を満足する広告情報の条件があるか否かを把握する。また、ステップA0で主記憶部202に記憶した画像データを受信側情報機器300に送信する（ステップA7）。
【００４３】
受信側情報機器300は、画像データを受信し、その受信した画像データをステップA6で主記憶部302に記憶した広告情報の条件と関連付けて主記憶部302に記憶する（ステップA8）。そして、送信側情報機器200と受信側情報機器300との間での通信を終了する（ステップA9）。この場合、受信側情報機器300は、広告情報の掲載分野の「旅行,地域」の条件と、画像データと、を関連付けて主記憶部302に記憶する。
【００４４】
なお、送信側情報機器200と受信側情報機器300との間での通信は、ファクシミリのプロトコルに従って行うことができる。
【００４５】
次に、受信側情報機器300は、主記憶部302に記憶された条件の広告情報の取得要求を広告サーバ100に送信する（ステップA10）。この場合、主記憶部302に記憶された条件である広告情報の掲載分野の「旅行,地域」を広告サーバ100に送信する。
【００４６】
広告サーバ100は、広告情報の取得要求を受け付けた場合に、広告情報データベース103、広告画像データベース104を検索し、条件に該当する広告情報を取得する（ステップA11）。具体的には、まず、広告情報データベース103を検索し、広告情報の掲載分野の「旅行,地域」に該当する広告情報を広告情報データベース103から取得する。図３に示す広告情報データベース103の場合は、広告情報IDがID:ad003425、ID:ad04079の広告情報が条件に該当するため、その広告情報を広告情報データベース103から取得する。また、広告情報IDと紐付けられた広告画像IDを基に、広告画像データベース104を検索し、広告画像IDに該当する広告画像を広告画像データベース104から取得する。図４に示す広告画像データベース104の場合は、広告情報IDがID:ad003425の広告画像IDは、画像A、画像B、画像Eであるため、広告画像A、広告画像B、広告画像Eを広告画像データベース104から取得する。また、広告情報IDがID:ad04079の広告画像IDは、画像D、画像Gであるため、広告画像D、広告画像Gを広告画像データベース104から取得する。
【００４７】
次に、広告サーバ100は、条件に該当する広告情報を受信側情報機器300に送信する（ステップA12）。これにより、受信側情報機器300は、条件に該当する広告情報を取得することができる。なお、広告サーバ100は、条件に該当する広告情報を受信側情報機器300に送信した場合は、その送信した広告情報の内容を更新する。例えば、図３に示す広告情報の場合は、最終掲載日時、掲載回数などを含んでいるため、その最終掲載日時、掲載回数などを更新する。これにより、広告サーバ100は、条件に該当する広告情報を取得要求先の受信側情報機器300に送信した際に、その広告情報の内容を更新し、広告情報の内容を管理することができる。
【００４８】
受信側情報機器300は、広告サーバ100から取得した広告情報を画像データに付加し、広告情報が付加された画像データを印刷する（ステップA13）。これにより、広告情報が付加されたファクシミリデータを受信側情報機器300において印刷することができる。なお、広告情報は、印刷するファクシミリデータの形態（例えば、画像データのサイズや、画像データを印刷する媒体のサイズなど）に応じて適宜編集して合成画像を形成したり、また、媒体の裏面への印刷を行うようにすることも可能である。この場合、同じ広告情報をファクシミリデータに付加して掲載したり、あるいは、同一の掲載分野であるが、ページ毎に異なる広告情報をファクシミリデータに付加して掲載することも可能である。なお、広告情報を画像データに付加する場合は、本来の画像データへの影響を回避するように広告情報を画像データに付加することが好ましい。
【００４９】
このように、本実施形態の画像データ形成システムでは、送信側情報機器200と受信側情報機器300との間でファクシミリのプロトコルに従って送信側情報機器200の所望する広告情報の条件を受信側情報機器300に通知する（ステップA1〜A3）。受信側情報機器300は、送信側情報機器200の所望する広告情報の条件と、受信側情報機器300の所望する条件と、を比較する。そして、双方の条件を満足する広告情報の条件がある場合は、その広告情報の条件を、送信側情報機器200から送信された画像データと関連付けて主記憶部302に記憶する（ステップA4〜A8）。次に、受信側情報機器300は、広告サーバ100にアクセスし、主記憶部302に記憶した条件に該当する広告情報を広告サーバ100から取得し、その取得した広告情報を画像データに付加して印刷する（ステップA10〜A13）。これにより、送信側情報機器200と受信側情報機器300との双方の所望する条件を満足する広告情報が付加された画像データを受信側情報機器300において印刷することができる。その結果、受信側情報機器300の受信者は、送信者側や受信者側の所望する広告情報を閲覧することができるため、不要な広告情報が画像データに付加されてしまうことを回避することができる。また、送信者側や受信者側に悪影響を与えることなく、広告情報の宣伝効率を向上させることができる。なお、上記処理動作では、各機器の所望する条件として、広告情報の掲載分野を例としているが、広告情報の種別なども用いることも可能である。また、図２に示す広告情報の何れかの情報を指定することも可能である。
【００５０】
なお、図６に示す処理動作では、受信側情報機器300が広告サーバ100から広告情報を取得し、その取得した広告情報を画像データに付加することにしている（ステップA10〜A13）。
【００５１】
しかし、図７に示すように、送信側情報機器200が広告サーバ100から広告情報を取得し、その取得した広告情報を画像データに付加することも可能である（ステップB1〜B3、B10）。以下、図７を参照しながら、送信側情報機器200において広告情報を画像データに付加する場合の処理動作例について詳細に説明する。
【００５２】
送信側情報機器200から受信側情報機器300にファクシミリデータを送信する場合は、まず、送信側情報機器200において、原稿を読み取り、原稿の画像データを主記憶部202に記憶する（ステップB0）。
【００５３】
次に、送信側情報機器200は、送信側情報機器200の所望する条件の広告情報の取得要求を広告サーバ100に送信する（ステップB1）。この場合、予め主記憶部202に記憶された条件を広告サーバ100に送信する。
【００５４】
広告サーバ100は、広告情報の取得要求を受け付けた場合に、広告情報データベース103、広告画像データベース104を検索し、条件に該当する広告情報を取得する（ステップB2）。そして、その条件に該当する広告情報を送信側情報機器200に送信する（ステップB3）。なお、広告サーバ100は、条件に該当する広告情報を送信側情報機器200に送信した場合は、その送信した広告情報の内容を更新する。例えば、図３に示す広告情報の場合は、最終掲載日時、掲載回数などを含んでいるため、その最終掲載日時、掲載回数などを更新する。これにより、広告サーバ100は、条件に該当する広告情報を取得要求先の送信側情報機器200に送信した際に、その広告情報の内容を更新し、広告情報の内容を管理することができる。
【００５５】
送信側情報機器200は、広告サーバ100から取得した広告情報を主記憶部202に記憶する（ステップB4）。
【００５６】
次に、送信側情報機器200は、受信側情報機器300に発呼する（ステップB5）。受信側情報機器300は、送信側情報機器200からの発呼に応答する場合は、送信側情報機器200に着呼する（ステップB6）。
【００５７】
送信側情報機器200は、受信側情報機器300が着呼した場合に、送信側情報機器200の所望する広告情報の条件を受信側情報機器300に通知する（ステップB7）。
【００５８】
受信側情報機器300は、送信側情報機器200の所望する広告情報の条件と、受信側情報機器300の所望する広告情報の条件と、を比較し、双方の条件を満足する広告情報の条件があるか否かを判定する（ステップB8）。そして、判定結果を送信側情報機器200に通知する（ステップB9）。
【００５９】
送信側情報機器200は、判定結果を受信し、双方の条件を満足する広告情報の条件がある場合は、その条件に該当する広告情報を主記憶部202から取得し、その取得した広告情報を画像データに付加する（ステップB10）。そして、広告情報を付加した画像データを受信側情報機器300に送信する（ステップB11）。これにより、受信側情報機器300は、広告情報が付加された画像データを送信側情報機器200から受信し、通信を終了することになる（ステップB12）。なお、広告情報は、受信側情報機器200側で印刷するファクシミリデータの形態（例えば、画像データのサイズや、画像データを印刷する媒体のサイズなど）に応じて適宜編集して合成画像を形成することも可能である。また、媒体の裏面への印刷を行うようにすることも可能である。この場合、同じ広告情報をファクシミリデータに付加して掲載したり、あるいは、同一の掲載分野であるが、ページ毎に異なる広告情報をファクシミリデータに付加して掲載することも可能である。なお、広告情報を画像データに付加する場合は、本来の画像データへの影響を回避するように広告情報を画像データに付加することが好ましい。
【００６０】
次に、受信側情報機器300は、送信側情報機器200から受信した広告情報が付加された画像データを印刷する（ステップB13）。
【００６１】
このように、本実施形態の画像データ形成システムでは、送信側情報機器200は、送信側情報機器200の所望する広告情報を広告サーバ100から予め取得し、主記憶部202に記憶する（ステップB1〜B4）。次に、送信側情報機器200と受信側情報機器300との間でファクシミリのプロトコルに従って送信側情報機器200の所望する広告情報の条件を受信側情報機器300に通知する（ステップB5〜B7）。受信側情報機器300は、送信側情報機器200の所望する広告情報の条件と、受信側情報機器300の所望する条件と、を比較し、判定結果を送信側情報機器200に通知する（ステップB8、B9）。送信側情報機器200は、判定結果を基に、双方の条件を満足する広告情報の条件がある場合は、その条件に該当する広告情報を主記憶部202から取得し、その広告情報を画像データに付加する。そして、その広告情報を付加した画像データを受信側情報機器300に送信する（ステップB10、B11）。受信側情報機器300は、送信側情報機器200から送信された広告情報が付加された画像データを印刷する（ステップB12）。これにより、送信側情報機器200と受信側情報機器300との双方の所望する条件を満足する広告情報が付加された画像データを印刷することができる。
【００６２】
なお、図７においては、送信側情報機器200は、原稿を読み取った後に（ステップB0）、送信側情報機器200の所望する広告情報を広告サーバ100から予め取得し、主記憶部202に記憶することにしている（ステップB1〜B4）。しかし、原稿を読み取る前に、送信側情報機器200の所望する広告情報を広告サーバ100から予め取得し、主記憶部202に記憶しておくことも可能である。
【００６３】
また、図７においては、受信側情報機器300において、送信側情報機器200の所望する広告情報の条件と、受信側情報機器300の所望する条件と、を比較し、判定結果を送信側情報機器200に通知することにしている（ステップB8、B9）。
【００６４】
しかし、図８に示すように、送信側情報機器200において、送信側情報機器200の所望する広告情報の条件と、受信側情報機器300の所望する条件と、を比較することも可能である（ステップC7）。以下、図８を参照しながら、送信側情報機器200において条件の比較を行う場合の処理動作例について詳細に説明する。
【００６５】
図８に示すステップC0〜C4までの処理は、図７に示すステップB0〜B4までの処理と同様に行い、送信側情報機器200は、広告サーバ100から取得した広告情報を主記憶部202に記憶する（ステップC4）。
【００６６】
次に、送信側情報機器200は、受信側情報機器300に発呼する（ステップC5）。受信側情報機器300は、送信側情報機器200からの発呼に応答する場合は、送信側情報機器200に着呼し、受信側情報機器300の所望する広告情報の条件を送信側情報機器200に通知する（ステップC6）。受信側情報機器300の所望する広告情報の条件は、受信側情報機器300を使用する受信者が受信側情報機器300に予め設定して主記憶部302に記憶しておく。
【００６７】
送信側情報機器200は、受信側情報機器300が着呼し、受信側情報機器300の所望する広告情報の条件を受け付けた場合に、送信側情報機器200の所望する広告情報の条件と、受信側情報機器300の所望する広告情報の条件と、を比較する。そして、双方の条件を満足する広告情報の条件があるか否かを判定する（ステップC7）。
【００６８】
送信側情報機器200は、双方の条件を満足する広告情報の条件がある場合は、その条件に該当する広告情報を主記憶部202から取得し、その取得した広告情報を画像データに付加する（ステップC8）。そして、広告情報を付加した画像データを受信側情報機器300に送信する（ステップC9）。これにより、受信側情報機器300は、広告情報が付加された画像データを送信側情報機器200から受信し、通信を終了することになる（ステップC10）。
【００６９】
次に、受信側情報機器300は、送信側情報機器200から受信した広告情報が付加された画像データを印刷する（ステップC11）。
【００７０】
このように、本実施形態の画像データ形成システムでは、送信側情報機器200は、送信側情報機器200の所望する広告情報を広告サーバ100から予め取得し、主記憶部202に記憶する（ステップC1〜C4）。そして、送信側情報機器200と受信側情報機器300との間でファクシミリのプロトコルに従って受信側情報機器300の所望する広告情報の条件を送信側情報機器200に通知する（ステップC5、C6）。送信側情報機器200は、送信側情報機器200の所望する広告情報の条件と、受信側情報機器300の所望する条件と、を比較する。そして、双方の条件を満足する広告情報の条件がある場合は、その条件に該当する広告情報を主記憶部202から取得し、その広告情報を画像データに付加する。そして、その広告情報を付加した画像データを受信側情報機器300に送信する（ステップC7〜C9）。受信側情報機器300は、送信側情報機器200から送信された広告情報が付加された画像データを印刷する（ステップC11）。これにより、送信側情報機器200と受信側情報機器300との双方の所望する条件を満足する広告情報が付加された画像データを印刷することができる。
【００７１】
＜本実施形態の画像データ形成システムの作用・効果＞
本実施形態の画像データ形成システムは、送信側情報機器200と受信側情報機器300との間でファクシミリのプロトコルに従って、送信側情報機器200の所望する広告情報の条件と、受信側情報機器300の所望する条件と、を比較する。そして、双方の条件を満足する広告情報の条件があるか否かを、判定する。そして、送信側情報機器200において双方の条件を満足する広告情報の条件があると判定した場合は、その条件に該当する広告情報を画像データに付加して受信側情報機器300に送信し、受信側情報機器300は、その広告情報が付加された画像データを印刷する。また、受信側情報機器300において双方の条件を満足する広告情報の条件があると判定した場合は、その条件に該当する広告情報を送信側情報機器200から送信された画像データに付加して印刷する。これにより、送信側情報機器200と受信側情報機器300との双方の所望する条件を満足する広告情報が付加された画像データを受信側情報機器300において印刷することができる。その結果、受信側情報機器300の受信者は、送信者側や受信者側の所望する広告情報を閲覧することができるため、不要な広告情報が画像データに付加されてしまうことを回避することができる。また、送信者側や受信者側に悪影響を与えることなく、広告情報の宣伝効率を向上させることができる。
【００７２】
（第２の実施形態）
次に、第２の実施形態について説明する。
【００７３】
上記実施形態の広告サーバ100は、広告情報の取得要求を受け付けた場合に、広告情報データベース103、広告画像データベース104を検索し、条件に該当する広告情報を取得する。そして、その取得した広告情報を取得要求先の情報機器200または300に送信している。しかし、条件に該当する広告情報が多く存在する場合は、その多数の広告情報を取得要求先の情報機器200または300に送信することになるため、全ての広告情報を画像データに付加することができない状況が発生してしまう場合がある。広告サーバ100は、条件に該当する広告情報を取得要求先の情報機器200または300に送信した際に、その広告情報の内容を更新し、広告情報の内容（例えば、最終掲載日時、掲載回数など）を管理している。このため、広告情報を画像データに付加することができない状況が発生してしまうと、その広告情報の内容が間違った内容になってしまう。
【００７４】
本実施形態では、広告情報データベース103から取得する広告情報の件数を設定し、その設定した件数の範囲で広告情報データベース103から条件に該当する広告情報を取得することにしている。これにより、所定の件数よりも多い広告情報を取得要求先の情報機器200または300に送信することがないため、全ての広告情報を画像データに付加することができない状況が発生するのを回避することができる。その結果、広告サーバ100で管理する広告情報の内容が間違った内容になってしまうのを回避することができる。以下、図９を参照しながら、本実施形態の処理動作例について説明する。
【００７５】
本実施形態の広告サーバ100は、広告情報の取得要求を受け付けた場合は（ステップS1/Yes）、広告情報データベース103、広告画像データベース104を検索し、条件に該当する広告情報を取得する（ステップS2）。次に、広告サーバ100は、該当する広告情報が所定の件数分より多く存在するか否かを判定する（ステップS3）。そして、所定の件数分より多く存在しない場合は（ステップS3/No）、条件に該当する広告情報を取得要求先の情報機器200または300に送信する（ステップS4）。そして、広告サーバ100は、条件に該当する広告情報を取得要求先の情報機器200または300に送信した際に、その広告情報の内容を更新する。
【００７６】
また、広告サーバ100は、条件に該当する広告情報が所定の件数分より多く存在する場合は（ステップS3/Yes）、広告情報の優先順位を確認し、その優先順位に基づいて所定の件数分の広告情報を選択する。そして、その選択した広告情報を取得要求先の情報機器200または300に送信する（ステップS5）。
【００７７】
優先順位としては、以下の選択方法が挙げられる。
１．広告情報の最終掲載日時が古いものから順番に選択する。
２．広告情報の掲載回数が少ないものから順番に選択する。
３．広告情報に紐付けられた広告画像の優先度の高いものから順番に選択する。なお、この場合は、図４に示す広告画像データベース104に広告画像と紐付けて優先度も管理する必要がある。
【００７８】
例えば、広告サーバ100は、広告情報の掲載分野の「旅行,地域」に該当する広告情報を図３に示す広告情報データベース103から取得した場合は、広告情報IDがID:ad003425、ID:ad04079の２件の広告情報を取得することになる。この時、所定の件数が１つの場合は、条件に該当する広告情報が所定の件数分より多く存在することになるため、広告情報の最終掲載日時が古いものから順番に選択する場合は、広告情報IDがID:ad04079の広告情報を選択することになる。また、広告情報の掲載回数が少ないものから順番に選択する場合は、広告情報IDがID:ad003425の広告情報を選択することになる。また、広告情報に紐付けられた広告画像の優先度の高いものから順番に選択する場合は、もし、図４に示す広告画像Aの優先度が最も高い場合は、その広告画像Aに紐付けられた広告情報IDがID:ad003425の広告情報を選択することになる。
【００７９】
なお、上記の１〜３の３つの選択方法を適宜組み合わせて広告情報を選択することも可能である。
【００８０】
これにより、広告サーバ100は、条件に該当する広告情報が所定の件数分より多く存在する場合は、広告情報の優先順位を確認する。そして、その優先順位に基づいて所定の件数分の広告情報を選択し、その選択した広告情報を取得要求先の情報機器200または300に送信することができる。なお、所定の件数は、広告サーバ100に予め設定しておいても良く、また、取得要求先の情報機器200または300から通知するように構築することも可能である。
【００８１】
＜本実施形態の画像データ形成システムの作用・効果＞
本実施形態の画像データ形成システムは、広告情報データベース103から取得する広告情報の件数を設定し、その設定した件数の範囲で広告情報データベース103から条件に該当する広告情報を取得する。これにより、所定の件数分より多い広告情報を取得要求先の情報機器200または300に送信することがないため、全ての広告情報を画像データに付加することができない状況が発生するのを回避することができる。
【００８２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８３】
例えば、上記実施形態の画像データ形成システムでは、広告情報が付加された画像データを受信側情報機器300において印刷を行う例で説明した。しかし、広告情報が付加された画像データを受信側情報機器300において表示部などに表示して出力することも可能である。即ち、広告情報が付加された画像データを受信者が閲覧することが可能な態様であれば、あらゆる出力形式で広告情報が付加された画像データを出力することが可能である。
【００８４】
また、上記実施形態の画像データ形成システムを構成する各装置における制御動作は、ハードウェア、ソフトウェア、あるいは、両者の複合構成を用いて実行することも可能である。
【００８５】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００８６】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体が挙げられる。
【００８７】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００８８】
また、上記実施形態の画像データ形成システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００８９】
１００    広告サーバ
２００    送信側情報機器
３００    受信側情報機器
４００    広告登録端末
ＮＷ    ネットワーク
１０１    制御部
１０２    主記憶部
１０３    広告情報データベース
１０４    広告画像データベース
１０５    通信制御部
１０６    操作部
１０７    表示部
２０１、３０１    制御部
２０２、３０２    主記憶部
２０３、３０３    画像処理部
２０４、３０４    通信制御部
２０５、３０５    読取部
２０６、３０６    出力部
【先行技術文献】
【特許文献】
【００９０】
【特許文献１】特許第３９９２４４６号公報
【図１】
2014086005.tif 000003
【図２】
2014086005.tif 000004
【図３】
2014086005.tif 000005
【図４】
2014086005.tif 000006
【図５】
2014086005.tif 000007
【図６】
2014086005.tif 000008
【図７】
2014086005.tif 000009
【図８】
2014086005.tif 000010
【図９】
2014086005.tif 000011